(57)【要約】      （修正有）【課題】身体的弱者の円滑な降車を図ることができるエレベータの制御装置を提供する。【解決手段】エレベータの制御装置１は、乗籠５のかご内荷重検知条件を所定値に設定し、乗籠５に設けられた荷重検出装置１６が検出する乗籠５のかご内荷重の値が上記かご内荷重検知条件を超えたときに乗籠５を満員通過制御に移行させる運転制御部２１と、乗り場３で乗籠５を待つ身体的弱者を認識する身体的弱者認識部２２と、身体的弱者認識部２２が乗籠５を待つ身体的弱者を認識したときに、乗籠５のかご内荷重検知条件を上記所定値よりも小さな値に切り替えるかご内荷重検知条件切替部２３とを有し、身体的弱者の利用時に、通常運転時よりも小さな積載状態で乗籠５を満員通過制御に移行させる。【選択図】図２
2010037043.tif 000002
【特許請求の範囲】
【請求項１】
各階に設けられた乗り場と、昇降路内を昇降動作する乗籠とを備えたエレベータに設けられる制御装置であって、
上記乗籠は、かご内荷重を検出する荷重検出装置を有し、
当該制御装置は、
上記乗籠のかご内荷重検知条件を所定値に設定し、上記荷重検出装置が検出する上記乗籠のかご内荷重の値が上記かご内荷重検知条件を超えたときに上記乗籠を満員通過制御に移行させる運転制御部と、
上記乗り場で乗籠を待つ身体的弱者を認識する身体的弱者認識部と、
上記身体的弱者認識部が乗籠を待つ身体的弱者を認識したときに、上記乗籠のかご内荷重検知条件を上記所定値よりも小さな値に切り替えるかご内荷重検知条件切替部と、を有し、
身体的弱者の利用時に、通常運転時よりも小さな積載状態で上記乗籠を満員通過制御に移行させることを特徴とするエレベータの制御装置。
【請求項２】
請求項１の記載において、
上記かご内荷重検知条件切替部は、上記身体的弱者が乗籠から降りたときに上記かご内荷重検知条件を元の所定値に戻すことを特徴とするエレベータの制御装置。
【請求項３】
請求項２の記載において、
上記エレベータは、上記乗り場に設けられた身体的弱者用呼びボタンを備え、
上記身体的弱者認識部は、上記身体的弱者用呼びボタンが押されると上記乗り場で待つ身体的弱者を認識することを特徴とするエレベータの制御装置。
【請求項４】
請求項３の記載において、
上記身体的弱者用呼びボタンは、車椅子利用者用呼びボタンであることを特徴とするエレベータの制御装置。
【請求項５】
請求項２の記載において、
上記エレベータは、上記乗り場に設けられ、身体的弱者が携帯する身体的弱者識別媒体を読み取る読取装置を備え、
上記身体的弱者認識部は、上記身体的弱者識別媒体が上記読取装置に読み取られて認証されたときに上記乗り場で待つ身体的弱者を認識することを特徴とするエレベータの制御装置。
【請求項６】
請求項５の記載において、
上記身体的弱者識別媒体は、車椅子利用者識別用ＩＣカードであり、
上記読取装置は、上記車椅子利用者識別用ＩＣカードを読み取るＩＣカードリーダであることを特徴とするエレベータの制御装置。
【請求項７】
請求項２の記載において、
上記エレベータは、上記乗り場に設けられた身体的弱者用呼びボタンと、上記乗り場に設けられ、身体的弱者が携帯する身体的弱者識別媒体を読み取る読取装置とを備え、
上記身体的弱者認識部は、上記身体的弱者用呼びボタンが押され、且つ、上記身体的弱者識別媒体が上記読取装置に読み取られて認証されたときに上記乗り場で待つ身体的弱者を認識し、
上記身体的弱者用呼びボタンが押されているにもかかわらず、上記身体的弱者識別媒体の認証がないときは、上記乗籠のかご内荷重検知条件の切り替えを行わないことを特徴とするエレベータの制御装置。
【請求項８】
各階に設けられた乗り場と、昇降路内を昇降動作する乗籠とを備えたエレベータの運転方法であって、
上記乗籠のかご内荷重検知条件を所定値に設定し、上記乗籠に設けられた荷重検出装置が検出する上記乗籠のかご内荷重の値が上記かご内荷重検知条件を超えたときに上記乗籠を満員通過制御に移行させるとともに、
上記乗り場で乗籠を待つ身体的弱者を認識したときに、上記乗籠のかご内荷重検知条件を上記所定値よりも小さな値に切り替え、身体的弱者の利用時に通常運転時よりも小さな積載状態で上記乗籠を満員通過制御に移行させることを特徴とするエレベータの運転方法。
【発明の詳細な説明】
【技術分野】
【０００１】
本発明は、例えば車椅子利用者のような身体的弱者が利用するのに適したエレベータに係る技術に関する。
【背景技術】
【０００２】
例えば中規模以上のビルにおいて利用されている郡管理エレベータは、各エレベータのかご内荷重を検出する荷重検出装置を備え、かご内荷重が乗籠の定格積載の所定割合よりも大きくなったときにエレベータを満員通過制御に移行させるものがある。
【０００３】
特許文献１には、かご内の乗車スペースの許容性を判断するエレベータ制御装置が開示されている。このエレベータ制御装置は、乗籠に設けられたセンサーからの信号に基づいて既に使用されているかご床の乗車スペースを検出する。そしてエレベータ制御装置は、その検出した情報から乗車スペースの許容性を判断し、許容性に余裕があると判断した場合には乗場ボタンの操作により指定された乗場階に乗籠を移動させる。
【特許文献１】特開２００５−２０６３１３号公報
【発明の開示】
【発明が解決しようとする課題】
【０００４】
エレベータの利用者のなかには、例えば車椅子利用者や老人のような身体的弱者がいる。このような身体的弱者がエレベータを利用する際にかご内が混雑していると、身体的弱者の円滑な降車が困難になるおそれがある。
【０００５】
本発明の目的は、身体的弱者の円滑な降車を図ることができるエレベータの制御装置およびエレベータの運転方法を提供することにある。
【課題を解決するための手段】
【０００６】
（１）本発明の一つの形態に係るエレベータの制御装置は、各階に設けられた乗り場と、昇降路内を昇降動作する乗籠とを備えたエレベータに設けられる制御装置である。上記乗籠は、かご内荷重を検出する荷重検出装置を有する。上記制御装置は、上記乗籠のかご内荷重検知条件を所定値に設定し、上記荷重検出装置が検出する上記乗籠のかご内荷重の値が上記かご内荷重検知条件を超えたときに上記乗籠を満員通過制御に移行させる運転制御部と、上記乗り場で乗籠を待つ身体的弱者を認識する身体的弱者認識部と、上記身体的弱者認識部が乗籠を待つ身体的弱者を認識したときに、上記乗籠のかご内荷重検知条件を上記所定値よりも小さな値に切り替えるかご内荷重検知条件切替部とを有し、身体的弱者の利用時に、通常運転時よりも小さな積載状態で上記乗籠を満員通過制御に移行させる。
【０００７】
（２）上記（１）に記載のエレベータの制御装置の一つの形態では、上記かご内荷重検知条件切替部は、上記身体的弱者が乗籠から降りたときに上記かご内荷重検知条件を元の所定値に戻す。
【０００８】
（３）上記（２）に記載のエレベータの制御装置の一つの形態では、上記エレベータは、乗り場に設けられた身体的弱者用呼びボタンを備える。上記身体的弱者認識部は、上記身体的弱者用呼びボタンが押されると上記乗り場で待つ身体的弱者を認識する。
【０００９】
（４）上記（３）に記載のエレベータの制御装置の一つの形態では、上記身体的弱者用呼びボタンは、車椅子利用者用呼びボタンである。
【００１０】
（５）上記（２）に記載のエレベータの制御装置の一つの形態では、上記エレベータは、上記乗り場に設けられ、身体的弱者が携帯する身体的弱者識別媒体を読み取る読取装置を備える。上記身体的弱者認識部は、上記身体的弱者識別媒体が上記読取装置に読み取られて認証されたときに上記乗り場で待つ身体的弱者を認識する。
【００１１】
（６）上記（５）に記載のエレベータの制御装置の一つの形態では、上記身体的弱者識別媒体は、車椅子利用者識別用ＩＣカードであり、上記読取装置は、上記車椅子利用者識別用ＩＣカードを読み取るＩＣカードリーダである。
【００１２】
（７）上記（２）に記載のエレベータの制御装置の一つの形態では、上記エレベータは、上記乗り場に設けられた身体的弱者用呼びボタンと、上記乗り場に設けられ、身体的弱者が携帯する身体的弱者識別媒体を読み取る読取装置とを備える。上記身体的弱者認識部は、上記身体的弱者用呼びボタンが押され、且つ、上記身体的弱者識別媒体が上記読取装置に読み取られて認証されたときに上記乗り場で待つ身体的弱者を認識し、上記身体的弱者用呼びボタンが押されているにもかかわらず、上記身体的弱者識別媒体の認証がないときは、上記乗籠のかご内荷重検知条件の切り替えを行わない。
【００１３】
（８）本発明の一つの形態に係るエレベータの運転方法は、各階に設けられた乗り場と、昇降路内を昇降動作する乗籠とを備えたエレベータの運転方法であって、上記乗籠のかご内荷重検知条件を所定値に設定し、上記乗籠に設けられた荷重検出装置が検出する上記乗籠のかご内荷重の値が上記かご内荷重検知条件を超えたときに上記乗籠を満員通過制御に移行させるとともに、上記乗り場で乗籠を待つ身体的弱者を認識したときに、上記乗籠のかご内荷重検知条件を上記所定値よりも小さな値に切り替え、身体的弱者の利用時に通常運転時よりも小さな積載状態で上記乗籠を満員通過制御に移行させる。
【発明の効果】
【００１４】
本発明によれば、身体的弱者の円滑な降車を図ることができる。
【発明を実施するための最良の形態】
【００１５】
以下、本発明の実施の形態について、図１ないし図８を参照して説明する。まず、図１を参照して、本発明の第１および第２の実施形態に係る制御装置１（以下、エレベータ制御装置１）および運転方法が適用されるエレベータ２の全体について概略的に説明する。
【００１６】
図１に示すように、エレベータ２は、各階に設けられた乗り場３（ホール）と、昇降路４内を昇降動作する乗籠５および釣合いおもり６を備える。昇降路４の上方に、機械室７が設けられている。この機械室７には、例えば巻上機８およびエレベータ制御装置１が設置されている。エレベータ制御装置１は、例えばエレベータ２の全体を制御する。
【００１７】
巻上機８は、メインシーブ８ａと、このメインシーブ８ａを回転駆動するモータ８ｂと備える。メインシーブ８ａには、乗籠５と釣合いおもり６が釣瓶式に連結されたメインロープ１０が巻き掛けられている。モータ８ｂが駆動されることで、乗籠５が昇降路４内を昇降動作する。
【００１８】
次に、本発明の第１の実施形態に係るエレベータ制御装置１およびエレベータの運転方法について説明する。
【００１９】
図２は、エレベータ２の制御系統の一部を模式的に示す。図２に示すように、各乗り場３は、一般用呼びボタン１２、身体的弱者用呼びボタン１３、および読取装置１４が設けられている。なお本発明でいう「身体的弱者」とは、例えば車椅子利用者のような体の不自由の方に加え、お年寄りや怪我人を含む。
【００２０】
一般用呼びボタン１２（一般かご呼び釦）は、一般利用者（身体的弱者に該当しない利用者）が乗籠５を呼び寄せるのに用いるボタンである。身体的弱者用呼びボタン１３は、身体的弱者が乗籠５を呼び寄せるのに用いるボタンである。身体的弱者用呼びボタン１３の一例は、車椅子利用者用呼びボタン（車椅子利用者用かご呼び釦）である。身体的弱者用呼びボタン１３は、例えば車椅子利用者が操作しやすいように、一般用呼びボタン１２に比べて低い位置に設置されている。
【００２１】
身体的弱者は、例えば身体的弱者であることを示す身体的弱者識別媒体１５を携帯する。この身体的弱者識別媒体１５は、例えばＩＣカードである。例えば車椅子利用者は、車椅子利用者識別用ＩＣカードを携帯する。なお身体的弱者識別媒体１５は、ＩＣカードに限らず、読取装置１４が読み取り可能な媒体であればよく、種々の媒体が広く利用可能である。身体的弱者識別媒体１５は、例えば携帯電話でもよい。
【００２２】
読取装置１４は、身体的弱者が携帯する身体的弱者識別媒体１５をセンシングし、身体的弱者識別媒体１５を読み取る装置である。読取装置１４は、例えば身体的弱者用呼びボタン１３の近辺に設置される。読取装置１４は、例えばＩＣカードである身体的弱者識別媒体１５を読み取るＩＣカードリーダである。読取装置１４の一例は、車椅子利用者識別用ＩＣカードを読み取るＩＣカードリーダである。
【００２３】
なお読取装置１４は、比較的近い距離で身体的弱者識別媒体１５を読み取るものに限られない。読取装置１４は、例えば乗り場３に設置され、身体的弱者が身体的弱者識別媒体１５を持って乗り場３にいるだけでその身体的弱者識別媒体１５を読み取るものでもよい。
【００２４】
一方、図２に示すように、乗籠５は、荷重検出装置１６を有する。荷重検出装置１６は、かご内荷重を検出する。「かご内荷重」とは、乗籠５内に乗り込んだ乗客や持ち込まれた荷物の重さの合計値のことである。荷重検出装置１６は、例えば下方が弾性支持されたかご室の床底に設けられ、かご室の沈み量からかご内荷重を検出する。なお荷重検出装置１６は、上記機構に限定されるものではなく、種々の機構を利用した装置が幅広く適用可能である。
【００２５】
図２に示すように、エレベータ制御装置１は、運転制御部２１、身体的弱者認識部２２、およびかご内荷重検知条件切替部２３を含む。
【００２６】
運転制御部２１は、エレベータ２の運転（すなわち乗籠５の運転）を司る。運転制御部２１は、乗り場呼びがあったとき（すなわち乗り場３の一般用呼びボタン１２または身体的弱者用呼びボタン１３が押されたとき）に、呼びがあった乗り場３へ乗籠５を向かわせる。また、乗籠５内の行先ボタンが操作されたとき、運転制御部２１は、利用者の目的階へ乗籠５を向かわせる。
【００２７】
図２に示すように、運転制御部２１は、第１の伝送経路２５を介して乗籠５の荷重検出装置１６に接続されている。運転制御部２１は、荷重検出装置１６との間で信号を授受し、荷重検出装置１６が検出した乗籠５のかご内荷重の値を受け取る。
【００２８】
また運転制御部２１は、乗籠５のかご内荷重検知条件を設定する。「かご内荷重検知条件」とは、乗籠５内が一定の混雑状態に達した場合（つまり満員状態になった場合）に、乗籠５を満員通過制御に移行させる条件値である。ここで「満員通過制御」とは、乗籠５が満員状態のときに乗り場呼びが生じている階があると、その乗り場呼びを無効にし、乗籠５にその階を通過（満員通過）させ、例えば群管理エレベータにおいては別の乗籠をその階に向かわせることをいう。
【００２９】
運転制御部２１は、通常運転状態（標準状態）において、上記かご内荷重検知条件として所定値を設定する。上記所定値は、任意の値を設定可能であるが、例えば定格積載（つまり乗籠の最大積載）の８０％の値が一例として用いられる。
【００３０】
そして運転制御部２１は、荷重検出装置１６が検出する乗籠５のかご内荷重の値が上記かご内荷重検知条件を超えたときに、乗籠５内が満員状態であるとして、乗籠５を通常運転状態から満員通過制御に移行させる。
【００３１】
身体的弱者認識部２２は、乗り場３で乗籠５を待つ身体的弱者を認識する。図２に示すように、身体的弱者認識部２２は、第２の伝送経路２６を介して、乗り場３の一般用呼びボタン１２および身体的弱者用呼びボタン１３に接続されている。身体的弱者認識部２２は、一般用呼びボタン１２および身体的弱者用呼びボタン１３との間で信号の授受を行う。身体的弱者認識部２２は、例えば身体的弱者用呼びボタン１３が押されると乗り場３で待つ身体的弱者を認識する。なお第２の伝送経路２６並びに後述する第３および第４の伝送経路系２７，２８は、例えばＲＳ４２２の規格に準拠するものであるが、それぞれ上記規格に限られるものではない。
【００３２】
図２に示すように、ＩＣカードリーダ制御装置２９は、第３の伝送経路２７を介して乗り場３の読取装置１４に接続されている。ＩＣカードリーダ制御装置２９は、読取装置１４との間で信号の授受を行う。また身体的弱者認識部２２は、第４の伝送経路２８を介してＩＣカードリーダ制御装置２９に接続されている。身体的弱者認識部２２は、ＩＣカードリーダ制御装置２９との間で信号の授受を行う。身体的弱者認識部２２は、例えば身体的弱者識別媒体１５が読取装置１４に読み取られて認証されたときに乗り場３で待つ身体的弱者を認識する。なおＩＣカードリーダ制御装置２９をエレベータ制御装置１内に組み込み、第３および第４の伝送経路２７，２８を省略してもよい。
【００３３】
本実施形態では、例えば、身体的弱者用呼びボタン１３が押され、且つ、身体的弱者識別媒体１５が読取装置１４に読み取られて認証されたときに、身体的弱者認識部２２が乗り場３で待つ身体的弱者を認識する。すなわち身体的弱者用呼びボタン１３が押されているにもかかわらず、身体的弱者識別媒体１５の認識がないときは、身体的弱者認識部２２は、乗り場３で待つ身体的弱者を認識しない。
【００３４】
かご内荷重検知条件切替部２３は、身体的弱者認識部２２が乗籠５を待つ身体的弱者を認識したときに、乗籠５のかご内荷重検知条件を上記所定値（例えば定格積載の８０％）から上記所定値よりも小さな値（例えば定格積載の５０％）に切り替える。これによりエレベータ制御装置１は、通常運転時よりも小さな積載状態で乗籠５を満員通過制御に移行させる。また既にかご内荷重として定格積載の５０％以上、８０％未満の積載荷重を検知している場合には、乗籠５を待つ身体的弱者を認識した時点（例えば車椅子専用かごボタンが押された時点）で、満員通過制御に移行する。
【００３５】
なお本実施形態では、例えば、身体的弱者用呼びボタン１３が押されているにもかかわらず、身体的弱者識別媒体１５の認証がないときは、かご内荷重検知条件切替部２３は、乗籠５のかご内荷重検知条件の切り替えを行わない。
【００３６】
また、かご内荷重検知条件切替部２３は、身体的弱者が乗籠５から降りたときにかご内荷重検知条件を元の所定値（例えば定格積載の８０％）に戻す。なお身体的弱者が乗籠５から降りたことの認定は種々の方法が可能である。エレベータ制御装置１は、例えば身体的弱者が乗籠５に乗り込んだときに押された行先ボタンを記憶し、その行先ボタンで指定された利用階に乗籠５が到着したときに身体的弱者が降車したものと認定する。またこれに代えて、乗り場３や乗籠５内に上記身体的弱者識別媒体１５をセンシング可能な読取装置を設けておき、その検出結果により身体的弱者の降車を把握してもよい。
【００３７】
次に、上記荷重検知条件切替運転について、車椅子兼用エレベータに適用された一例を参照して詳しく説明する。  
上記身体的弱者認識部２２およびかご内荷重検知条件切替部２３は、例えばマイコン３１により実現される。図３に示すように、マイコン３１に対して、（Ａ）一般用かご呼びボタンによる入力、（Ｂ）車椅子利用者識別用ＩＣカードの認証、（Ｃ）車椅子利用者用かご呼びボタンによる入力、および（Ｄ）カゴ内荷重が入力される。マイコン３１は、上記入力内容を受けて、（Ｅ）かご内荷重検知条件（定格積載の８０％）または（Ｆ）かご内荷重検知条件（定格積載の５０％）を決定する。
【００３８】
詳しく述べると、マイコン３１は、（Ａ）＋（Ｂ）、または（Ａ）＋（Ｂ）＋（Ｃ）、または（Ｂ）＋（Ｃ）の条件が成立した場合に、（Ｆ）かご内荷重検知条件（定格積載の５０％）に切り替える。またマイコン３１は、（Ｄ）かご内荷重＞（Ｆ）かご内荷重検知条件（定格積載の５０％）の範囲では、各乗り場の（Ａ）一般用かご呼びボタンによる入力、および（Ｃ）車椅子利用者用かご呼びボタンによる入力には応答せずに通過運転を行う。またマイコン３１は、車椅子利用者が目的階に到達した時点で（Ｅ）かご内荷重検知条件（定格８０％）に再び切り替える。
【００３９】
次に、上記構成を有するエレベータ２の運転方法について説明する。  
本実施形態に係るエレベータ２の運転方法は、乗籠５のかご内荷重検知条件を所定値に設定し、乗籠５に設けられた荷重検出装置１６が検出する乗籠５のかご内荷重の値が上記かご内荷重検知条件を超えたときに乗籠５を満員通過制御に移行させるとともに、乗り場３で乗籠５を待つ身体的弱者を認識したときに、乗籠５のかご内荷重検知条件を上記所定値よりも小さな値に切り替え、身体的弱者の利用時に通常運転時よりも小さな積載状態で乗籠５を満員通過制御に移行させる。
【００４０】
より詳しく述べると、身体的弱者識別媒体１５を身体的弱者が携帯し、身体的弱者用呼びボタン１３が押され、その後所定時間以内（例えば１０秒以内）に身体的弱者識別媒体１５が読取装置１４に読み取られたときに、かご内荷重検知条件を定格積載の５０％に切り替え、身体的弱者が目的階に到着した時点で従来のかご内荷重検知条件を定格積載の８０％に再び切り替える。身体的弱者識別媒体１５の読み取りがない場合には、身体的弱者用呼びボタン１３が押されても、かご内検知条件を定格積載の５０％に切り替えない。
【００４１】
以下、図４を参照して、車椅子兼用エレベータ適用されたエレベータの運転方法の一例について説明する。
【００４２】
図４に示すように、まず、一般かご呼びボタンの登録の有無の判定（ステップＳ１１）が行われ、登録が有りの場合は、車椅子利用者用かご呼びボタンの登録の有無の判定（ステップＳ１２）に移行する。または一般かご呼び用ボタン登録の有無に関わらず、車椅子利用者用呼びボタン登録の有無の判定（ステップ１２）に移行される場合もある。
【００４３】
車椅子利用者用呼びボタン登録が無しの場合は、かご内荷重検知条件が定格積載の８０％のまま変更無しとなり（ステップＳ１３）、乗り場呼びに応答し（ステップＳ１４）、終了となる。
【００４４】
一方、車椅子利用者用呼びボタン登録が有りの場合は、車椅子利用者識別用ＩＣカード認証の有無の判定（ステップＳ１５）に移行する。車椅子利用者識別用ＩＣカード認証が無しのときは、上記ステップＳ１３に移行する。車椅子利用者識別用ＩＣカード認証が有りのときは、かご内荷重検知条件が定格積載の５０％に切り替えられ（ステップＳ１６）、以降必要に応じて乗り場呼び無効、他号機への割付となり（ステップＳ１７）、車椅子利用者目的階到着（ステップＳ１８）の後、かご内荷重検知条件を定格積載の８０％へ切り替えとなり（ステップＳ１９）、終了となる。
【００４５】
このような構成のエレベータ制御装置１およびエレベータの運転方法によれば、身体的弱者の円滑な降車を図ることができる。すなわち、かご内が混雑していると身体的弱者（例えば車椅子利用者）は容易に降車を行うことが困難になる。
【００４６】
一方、エレベータ制御装置１が、乗籠５を待つ身体的弱者を認識したときに乗籠５のかご内荷重検知条件を通常運転時の設定値よりも小さな値に切り替え、通常運転時よりも小さな積載状態で乗籠５を満員通過制御に移行させると、身体的弱者の利用時のかご内の混雑状態が緩和される。これにより、身体的弱者は、比較的円滑に乗籠５に乗り降りすることができるようになる。
【００４７】
また本実施形態に係るエレベータ制御装置１では、身体的弱者が乗車する場合のみ、かご内荷重検知条件を低くするため、一般利用者へのサービス低下を抑えることができる。さらに、身体的弱者が乗籠５から降りたときにかご内荷重検知条件を元の所定値に戻すので、一般利用者へのサービス低下を抑えることができる。
【００４８】
身体的弱者用呼びボタン１３が押されることでエレベータ制御装置１が乗り場３で待つ身体的弱者を認識すると、比較的簡単な構成でエレベータ制御装置１が身体的弱者を認識することができる。さらに上記身体的弱者用呼びボタン１３が車椅子利用者用呼びボタンであると、車椅子利用者用呼びボタンが設置されている既存のエレベータにおいてもエレベータ制御装置１を交換または一部機能追加することで、身体的弱者の円滑な降車を図ることができるエレベータ２を提供することができる。
【００４９】
身体的弱者が携帯する身体的弱者識別媒体１５を読み取る読取装置１４を備え、身体的弱者識別媒体１５の認証があったときに乗り場３で待つ身体的弱者を認識すると、身体的弱者用呼びボタン１３を利用する場合に比べて、一般利用者を身体的弱者と誤って認識することが抑制される。つまり、一般利用者が身体的弱者用呼びボタン１３を押すことでかご内荷重検知条件が切り替えられることや、その他いたずらが抑制される。
【００５０】
また、身体的弱者用呼びボタン１３が押され、且つ、身体的弱者識別媒体１５の認証があったときに乗り場３で待つ身体的弱者を認識し、身体的弱者用呼びボタン１３が押されているにもかかわらず、身体的弱者識別媒体１５の認証がないときは、乗籠５のかご内荷重検知条件の切り替えを行わないようにすると、一般利用者の使用やいたずらをさらに抑制することができる。
【００５１】
身体的弱者識別媒体１５が車椅子利用者識別用ＩＣカードであり、読取装置１４が車椅子利用者識別用ＩＣカードを読み取るＩＣカードリーダであると、比較的簡単な構成で身体的弱者の円滑な降車を図ることができるエレベータ２を提供することができる。
【００５２】
なお、読取装置１４は必須の構成要素ではなく、身体的弱者用呼びボタン１３だけで身体的弱者の利用を認識してもよい。また身体的弱者用呼びボタン１３は必須の構成要素ではなく、読取装置１４だけで身体的弱者の利用を認識してもよい。
【００５３】
次に、本発明の第２の実施形態に係るエレベータ制御装置１およびエレベータの運転方法について、図５ないし図８を参照して説明する。なお上記第１の実施形態の構成と同一または類似の機能を有する構成は、同一の符号を付してその説明を省略する。本実施形態に係るエレベータ２およびエレベータ制御装置１の構成は、上記第１の実施形態と同様であり、運転方法が一部異なる。
【００５４】
本実施形態に係るエレベータ制御装置１は、乗り場３で待つ身体的弱者を認識したときに、そのときの乗籠５の進行方向と身体的弱者の目的階へ向かう方向とが一致するか否かを判定する。そして、乗籠５の進行方向と身体的弱者の目的階へ向かう方向とが一致する場合は、上記第１の実施形態と同様に、かご内荷重検知条件が上記所定値（例えば定格積載の８０％）から上記所定値よりも小さな値（例えば定格積載の５０％）に切り替えられる。
【００５５】
一方、乗籠５の進行方向と身体的弱者の目的階へ向かう方向とが一致しない場合には、かご内荷重検知条件を切り替えずに、通常運転を続行する。なお「乗籠５の進行方向と身体的弱者の目的階へ向かう方向とが一致しない」とは、例えば図７に示すように、３Ｆにいる身体的弱者の目的階が１Ｆである場合に、先に呼びが発生した５Ｆへ向いて乗籠５が移動中（進行方向上向き）である場合である。
【００５６】
そして乗籠５の進行方向が反転したとき（図８参照）、かご内荷重検知条件が上記所定値（例えば定格積載の８０％）から上記所定値よりも小さな値（例えば定格積載の５０％）に切り替えられる。
【００５７】
以下、図５および図６を参照して、車椅子兼用エレベータ適用されたエレベータの運転方法の一例について説明する。なおステップＳ１１〜Ｓ１９は、上記第１の実施形態と同様であるのでその説明は省略する。本実施形態では、ステップＳ１５とステップＳ１６の間に、乗籠５の進行方向と身体的弱者の目的階へ向かう方向とが一致するか否かの判定（ステップＳ２１）がある。
【００５８】
そして乗籠５の進行方向と身体的弱者の目的階へ向かう方向とが同じの場合は、上記第１の実施形態と同様に、ステップＳ１６に移行する。乗籠５の進行方向と身体的弱者の目的階へ向かう方向とが異なる場合は、かご内荷重検知条件が定格積載の８０％のまま変更無しとなり（ステップＳ２２）、当初の目的階に到着し（ステップＳ２３）、乗籠５の進行方向が反転する（Ｓ２４）。そしてステップＳ２４の後、またはステップＳ２４と同時にステップＳ１６に移行し、かご内荷重検知条件が定格積載の５０％に切り替えられる。
【００５９】
また本実施形態に係るエレベータ２は、かご内荷重検知条件が切り替えられた後、身体的弱者が待つ階へ向かう途中に他の階で一般利用者が乗り込もうとするときに、例えば身体的弱者による呼びが発生している旨のアナウンスを行う。このアナウンスの内容は特に限定されるものではないが、例えば「次の階で車椅子のお客様が乗り込まれます。そのためドア付近のスペースには乗り込まないで下さい」などが具体例として挙げられる。
【００６０】
上記説明した以外のエレベータ制御装置１およびエレベータの運転方法の残りの構成は上記第１の実施形態と同じである。
【００６１】
このような構成によれば、上記第１の実施形態と同様に、身体的弱者の円滑な降車を図ることができる。また、乗籠５の進行方向と身体的弱者の目的階へ向かう方向が同じか否かの判定を行うことで、一般利用者へのサービス低下を抑制することができる。また上記のようなアナウンスを行うことで、身体的弱者の円滑な乗り降りをさらに図ることができる。
【００６２】
以上、本発明の第１および第２の実施形態に係るエレベータ制御装置１およびエレベータの運転方法について説明したが、本発明はこれらに限定されるものではない。本発明は、実施段階ではその要旨を逸脱しない範囲で構成要素を変形して具体化できる。
【図面の簡単な説明】
【００６３】
【図１】本発明の第１および第２の実施形態に係るエレベータの断面図。
【図２】本発明の第１の実施形態に係る制御系統の一部を模式的に示す図。
【図３】本発明の第１の実施形態に係るマイコン入力を模式的に示す図。
【図４】本発明の第１の実施形態に係るエレベータ制御装置の動作を示すフローチャート。
【図５】本発明の第２の実施形態に係るエレベータ制御装置の動作を示すフローチャート。
【図６】本発明の第２の実施形態に係るエレベータ制御装置の動作を示すフローチャート。
【図７】本発明の第２の実施形態に係るエレベータの動作を模式的に示す図。
【図８】本発明の第２の実施形態に係るエレベータの動作を模式的に示す図。
【符号の説明】
【００６４】
１…エレベータ制御装置、２…エレベータ、３…乗り場、５…乗籠、１２…一般用呼びボタン、１３…身体的弱者用呼びボタン、１４…読取装置、１５…身体的弱者識別媒体、１６…荷重検出装置、２１…運転制御部、２２…身体的弱者認識部、２３…かご内荷重検知条件切替部。
【図１】
2010037043.tif 000003
【図２】
2010037043.tif 000004
【図３】
2010037043.tif 000005
【図４】
2010037043.tif 000006
【図５】
2010037043.tif 000007
【図６】
2010037043.tif 000008
【図７】
2010037043.tif 000009
【図８】
2010037043.tif 000010